(57)【要約】  第１の基板を第２の基板に接合する方法であって、第１の基板は、第１の基板の上面上に第１の電気接点を含み、第２の基板は、第２の基板の底面上に第２の電気接点を含む、方法。この方法は、第１の基板の上面上にポリイミドのブロックを形成するステップであって、ポリイミドのブロックは、丸みを帯びた上角部を有する、ステップと、第１の電気接点が第２の電気接点に当接するまで、第１の基板の上面及び第２の基板の底面を互いに向かって垂直に移動させるステップであって、移動中、第２の基板は、ポリイミドの丸みを帯びた上角部と接触して、第１及び第２の基板を互いに対して横方向に移動させる、ステップと、を含む。【選択図】図１２
2020512697.tif 000002
【特許請求の範囲】
【請求項１】
第１の基板を第２の基板に接合する方法であって、前記第１の基板は、前記第１の基板の上面上に第１の電気接点を含み、前記第２の基板は、前記第２の基板の底面上に第２の電気接点を含み、前記方法は、
前記第１の基板の前記上面にポリイミドのブロックを形成するステップであって、前記ポリイミドのブロックは、丸みを帯びた上角部を有するステップと、
前記第１の電気接点が前記第２の電気接点に当接するまで、前記第１の基板の前記上面及び前記第２の基板の前記底面を互いに向かって垂直に移動させるステップであって、前記移動中、前記第２の基板は、前記ポリイミドの前記丸みを帯びた上角部と接触して、前記第１及び第２の基板を互いに対して横方向に移動させるステップと、を含む、方法。
【請求項２】
前記ポリイミドのブロックは、前記第１の電気接点を取り囲むリング形状を有する、請求項１に記載の方法。
【請求項３】
前記ポリイミドのブロックと前記第１の基板との間に配設された無機材料の層を形成するステップを更に含む、請求項１に記載の方法。
【請求項４】
前記無機材料は、酸化物及び窒化物のうちの１つである、請求項３に記載の方法。
【請求項５】
前記第１の電気接点のそれぞれは、Ｓｎ−Ｃｕ材料を含む、請求項１に記載の方法。
【請求項６】
前記Ｓｎ−Ｃｕ材料は、全体組成の割合として０．５％〜５％のＣｕを含む、請求項１に記載の方法。
【請求項７】
前記第１の電気接点のそれぞれは、前記Ｓｎ−Ｃｕ材料と接触する金属ブロックを更に含む、請求項５に記載の方法。
【請求項８】
前記第１の電気接点のそれぞれと前記第２の電気接点のうちの１つとの間にはんだ接続が形成されるように、前記第１及び第２の電気接点に熱を加えるステップを更に含む、請求項５に記載の方法。
【請求項９】
前記移動させるステップの後に前記ポリイミドのブロックを除去するステップを更に含む、請求項１に記載の方法。
【請求項１０】
前記第１の基板は、前記上面上に第３の電気接点を含み、前記方法は、
前記第３の電気接点上にアルミニウムパッドを形成するステップであって、前記ポリイミドのブロックの一部は直接前記アルミニウムパッド上にある、ステップと、
ワイヤを前記アルミニウムパッドに接続するステップと、を更に含む、請求項１に記載の方法。
【請求項１１】
前記ポリイミドのブロックを形成するステップは、
前記第１の基板の前記上面上にポリイミド層を形成するステップと、
前記ポリイミド層の部分を光に露出させるステップと、
光に露出された前記ポリイミド層の前記部分を除去するステップと、を含む、請求項１に記載の方法。
【請求項１２】
第１の基板を第２の基板に接合する方法であって、前記第１の基板は、前記第１の基板の上面上に第１の電気接点を含み、前記第２の基板は、前記第２の基板の底面上に第２の電気接点を含み、前記方法は、
前記第１の基板の前記上面上及び前記第１の電気接点上に第１の材料を形成するステップと、
前記第１の材料を通って延在し、前記第１の電気接点を露出させるビアを形成するステップと、
前記ビア内にＳｎ−Ｃｕ材料を形成するステップと、
前記第１の基板の前記上面上にポリイミドの層を形成するステップと、
前記ポリイミドの層の１つ以上の部分を選択的に除去し、前記第１の基板の前記上面上に前記ポリイミドのブロックを残すステップであって、前記ポリイミドのブロックは、丸みを帯びた上角部を有する、ステップと、
前記Ｓｎ−Ｃｕ材料が前記第２の電気接点に当接するまで、前記第１の基板の前記上面及び前記第２の基板の前記底面を互いに向かって垂直に移動させるステップであって、前記移動中、前記第２の基板は、前記ポリイミドの前記丸みを帯びた上角部と接触して、前記第１及び第２の基板を互いに対して横方向に移動させる、ステップと、を含む、方法。
【請求項１３】
前記ポリイミドのブロックは、前記第１の電気接点を取り囲むリング形状を有する、請求項１２に記載の方法。
【請求項１４】
前記ポリイミドのブロックと前記第１の基板との間に無機材料の層を形成するステップを更に含む、請求項１２に記載の方法。
【請求項１５】
前記無機材料は、酸化物及び窒化物のうちの１つである、請求項１４に記載の方法。
【請求項１６】
前記Ｓｎ−Ｃｕ材料は、全体組成の割合として０．５％〜５％のＣｕを含む、請求項１２に記載の方法。
【請求項１７】
前記Ｓｎ−Ｃｕ材料と前記第２の電気接点との間にはんだ接続が形成されるように、前記Ｓｎ−Ｃｕ材料に熱を加えるステップを更に含む、請求項１２に記載の方法。
【請求項１８】
前記Ｓｎ−Ｃｕ材料を形成するステップは、
Ｓｎ材料及びＣｕ材料の別個の交互層を形成するステップと、
前記Ｓｎ材料層が前記Ｃｕ材料層と合金化するように、前記交互層を焼きなましするステップと、を含む、請求項１２に記載の方法。
【請求項１９】
前記Ｓｎ−Ｃｕ材料を形成するステップは、
前記第１の材料上及び前記ビア内に、Ｓｎ−Ｃｕ合金の層を形成するステップと、
前記ビア内の前記Ｓｎ−Ｃｕ合金を残しながら、前記第１の材料上の前記Ｓｎ−Ｃｕ合金の層を除去するステップと、を含む、請求項１２に記載の方法。
【請求項２０】
前記第１の基板は、前記上面上に第３の電気接点を含み、前記方法は、
前記第３の電気接点上にアルミニウムパッドを形成するステップであって、前記ポリイミドのブロックの一部は直接前記アルミニウムパッド上にある、ステップと、
ワイヤを前記アルミニウムパッドに接続するステップと、を更に含む、請求項１２に記載の方法。
【請求項２１】
前記移動させるステップの後に前記ポリイミドのブロックを除去するステップを更に含む、請求項１２に記載の方法。
【請求項２２】
上面と、前記上面上の第１の電気接点と、を有する第１の基板と、
底面と、前記底面上の第２の電気接点と、を有する第２の基板と、
それぞれ前記第１の電気接点のうちの１つと前記第２の電気接点のうちの１つとの間に配設され、それらと電気的に接触している、Ｓｎ−Ｃｕ材料の複数のブロックと、を含む、接合アセンブリ。
【請求項２３】
前記Ｓｎ−Ｃｕ材料のブロックのそれぞれは、全体組成の割合として０．５％〜５％のＣｕを含む、請求項２２に記載の接合アセンブリ。
【発明の詳細な説明】
【技術分野】
【０００１】
（関連出願）
本出願は、２０１７年３月２８日に出願された米国特許仮出願第６２／４７７，９６３号の利益を主張する。上記仮出願は、参照により本明細書に組み込まれる。
【０００２】
（発明の分野）
本発明は、半導体製造プロセスに関し、具体的には半導体ダイを半導体ウェハに接合することに関する。
【背景技術】
【０００３】
現在、従来のダイ積層プロセスでは、いくつかの用途に所望される精度でダイをウェハにうまく接合することが不可能である。例えば、１つの種類の回路（例えば、デジタル処理回路）を含むダイを、別の種類の回路（例えば、アナログ回路及びメモリ）を含むウェハに接合することを必要とする用途がある。ダイは、ウェハ上の相互コネクタと接触及び接続する電気コネクタ（例えば、露出導体又はパッド）を含む。接合を成功させるため、ダイがウェハに接合されたときに信頼性の高い電気的接続が形成されるように、コネクタは、接合前に互いにアライメントされる必要がある。しかしながら、デバイスの形状は小さくなる一方であるため、接合前にダイをウェハ（より具体的にはそれぞれのコネクタ）にアライメントすることはより困難になり、その結果、この２つの間の電気的接続は点接合で行われる。所望のアライメントを得ることは、非常に高価で複雑なアライメント装置を必要とする場合がある。また、コネクタを押し合わせることで、常に、即時の及び／又は長続きする電気的接続が生成されるわけではない。
【０００４】
接合中に位置のずれたダイを適切なアライメントに誘導するために、アライメント構造を接合部位に隣接して形成するという、１つのソリューションが提案されてきた。ダイがウェハまで下げられると、いずれかの位置ずれが存在する場合、ダイは、アライメント構造に物理的にぶつかり、その物理的接触によって横方向に移動し、それによって、ダイがウェハに到達するまでに、それら２つは、互いに適切にアライメントされる。このアライメント技術を使用する従来の試みは、アライメント構造のためにＡｌ、二酸化ケイ素、又は窒化ケイ素などの材料を使用してきた。しかしながら、これらの材料は、物理的接触時にダイを横方向に効果的に誘導するのに十分な弾性を欠き（アライメント構造及びダイの両方に過度の損傷がある）、このような材料を使用して十分なアライメント構造を作製することは困難であった。このような強固なアライメント構造を有するダイの衝突は、ダイを適切な位置に効果的に誘導しない。アライメント構造にポリマーを使用する中国特許公開第ＣＮ１０２４０３３０８号が提案されたが、このソリューションを実施するためのいずれの特定のポリマーも特定されなかった。多くの種類のポリマーは、Ａｌ、酸化物、又は窒化物よりも高い弾性を有するが、接合時に必要な高温（例えば、１００Ｃ超）では柔らかすぎてアライメント構造としての役割を果たせず、典型的にはそのような温度で燃焼する。
【０００５】
高価で複雑なアライメント装置を使用することなく、ダイをウェハに確実にアライメントさせ、なお、ダイとウェハとが接合されるときに、それらの間を電気的に接続させることを効果的に可能にする、アライメント構造及び技術が必要とされる。
【発明の概要】
【０００６】
上述の問題及び必要性は、第１の基板を第２の基板に接合する方法によって対処され、第１の基板は、第１の基板の上面上に第１の電気接点を含み、第２の基板は、第２の基板の底面上に第２の電気接点を含む。この方法は、第１の基板の上面上にポリイミドのブロックを形成するステップであって、ポリイミドのブロックは、丸みを帯びた上角部を有するステップと、第１の電気接点が第２の電気接点に当接するまで、第１の基板の上面及び第２の基板の底面を互いに向かって垂直に移動させるステップであって、移動中、第２の基板は、ポリイミドの丸みを帯びた上角部と接触して、第１及び第２の基板を互いに対して横方向に移動させるステップと、を含む。
【０００７】
第１の基板を第２の基板に接合する方法であって、第１の基板は、第１の基板の上面上に第１の電気接点を含み、第２の基板は、第２の基板の底面上に第２の電気接点を含む、方法。この方法は、第１の材料を第１の基板の上面上及び第１の電気接点上に形成するステップと、第１の電気接点を露出させるために、第１の材料を通って延在するビアを形成するステップと、ビア内にＳｎ−Ｃｕ材料を形成するステップと、第１の基板の上面上にポリイミドの層を形成するステップと、ポリイミドの層の１つ以上の部分を選択的に除去するステップと、ポリイミドのブロックを第１の基板の上面上に残すステップであって、ポリイミドのブロックは、丸みを帯びた上角部を有する、ステップと、Ｓｎ−Ｃｕ材料が第２の電気接点に当接するまで、第１の基板の上面及び第２の基板の底面を互いに向かって垂直に移動させるステップであって、移動中、第２の基板は、ポリイミドの丸みを帯びた上角部と接触して、第１及び第２の基板を互いに対して横方向に移動させる、ステップと、を含む。
【０００８】
上面及び上面上の第１の電気接点を有する第１の基板と、底面及び底面上の第２の電気接点を有する第２の基板と、それぞれが第１の電気接点のうちの１つと第２の電気接点のうちの１つとの間に配設され、それらと電気的に接触する、Ｓｎ−Ｃｕ材料の複数のブロックと、を含む、接合アセンブリ。
【０００９】
本発明の他の目的及び特徴は、明細書、請求項、添付図面を精読することによって明らかになるであろう。
【００１０】
【図面の簡単な説明】
【００１１】
【図１】ポリイミドアライメント構造を形成する工程を示す断面側面図である。
【図２】ポリイミドアライメント構造を形成する工程を示す断面側面図である。
【図３】ポリイミドアライメント構造を形成する工程を示す断面側面図である。
【図４】ポリイミドアライメント構造を形成する工程を示す断面側面図である。
【図５】ポリイミドアライメント構造を形成する工程を示す断面側面図である。
【図６】ポリイミドアライメント構造を形成する工程を示す断面側面図である。
【図７】ポリイミドアライメント構造を形成する工程を示す断面側面図である。
【図８】ポリイミドアライメント構造を形成する工程を示す断面側面図である。
【図９】ポリイミドアライメント構造を形成する工程を示す断面側面図である。
【図１０】ダイをウェハにアライメントし、接合する工程を示す垂直断面側面図である。
【図１１】ダイをウェハにアライメントし、接合する工程を示す垂直断面側面図である。
【図１２】ダイをウェハにアライメントし、接合する工程を示す垂直断面側面図である。
【図１３】ダイをウェハにアライメントし、接合する工程を示す垂直断面側面図である。
【図１４】ダイをウェハにアライメントし、接合する工程を示す垂直断面側面図である。
【図１５】ダイをウェハにアライメントし、接合する工程を示す垂直断面側面図である。
【発明を実施するための形態】
【００１２】
本発明は、ダイの底面をウェハの上面に接合するためのアライメント及び電気接続技術並びにアライメント構造である。ウェハは、回路及び他の導電性要素が形成され、図１に示す（その上に形成される回路は図示せず）基板１０を含み得、その基板の上面に垂直に延在する金属接点１２を含む。図２に示すように、金属接点１２とダイとの間の接合及び電気的接続を容易にするために、絶縁材料１４の層（例えば、層間誘電体ＩＭＤ）が、構造上に形成され、平坦化される。図３に示すように、ビア１６は、絶縁体１４内に形成され、それぞれのビア１６は、金属接点１２のうちの１つまで延在してそれを露出させる。ビア１６は、フォトリソグラフィープロセスを使用して形成され得、フォトレジストは絶縁体１４上に形成され、マスクを使用して選択的に露出され、現像される。次いで、フォトレジストの選択的部分が除去され、それぞれの金属接点の上の絶縁体１４が露出される。次いで、絶縁材１４の露出部分上でエッチングが実行されて、内部にビア１６が作製される。
【００１３】
Ｓｎ−Ｃｕ合金の層が構造上に堆積され、ビア１６が充填される。次いで、Ｓｎ−Ｃｕ合金は、化学的機械的研磨（ＣＭＰ）を使用して乾式エッチング又は研磨され、その結果、図４に示すように、Ｓｎ−Ｃｕ合金は絶縁体１４の上面から除去されるが、ビアはＳｎ−Ｃｕ接点１８が充填されたままとなる。保護層２０（酸化物又は窒化物などの無機材料からなる）は、構造上に形成される。図５に示すように、アルミニウムパッド２２は、保護層がエッチングされている場合を除き、保護層２０を介して選択的にエッチングし、構造をアルミニウムで被覆し、アルミニウムエッチングを実行してアルミニウムを除去することによって、Ｓｎ−Ｃｕ接点１８のうちのいくつかの上に形成され得る。
【００１４】
図６に示すように、第２の保護層２４が構造上に形成される。この第２の保護層は、ポリイミドで形成される。図７に示すように、ポリイミド２４の選択的部分２４ａは、フォトリソグラフィープロセスにおいて光子に露出される。あるいは、このパターニングを行うために、ウェハ全体の接触マスクが使用され得る。図８に示すように、ポリイミド２４の露出部分２４ａは除去され、ダイに接合されるＳｎ−Ｃｕ接点１８を取り囲むポリイミドのリング２４ｂは残される。ポリイミド２４ｂのリングは硬化し、その縁部は丸められ、その結果、その上角部２４ｃはテーパ形状になる。図９に示すように、リング内部の保護層２０は、エッチングによって除去され、Ｓｎ−Ｃｕ接点１８を露出させる。結果として生成される、Ｓｎ−Ｃｕ接点を取り囲むアライメント構造２６は、保護材料２０のリング上にポリイミド２４ｂのリングを含み、これらは共に、ＳＮ−Ｃｕ接点１８に対する全高Ｈを有する。非限定的な例では、アライメント構造の全高Ｈは、１５〜２０μｍであり得る。
【００１５】
機械的ロボット支援のラフアライメントを使用して、ダイ３０（例えば、好ましくは銅で作製された底面電気接点３２を有する３００ｍｍのダイ）は、接合用のウェハ上に置かれ、可能な限り最良にアライメントされる。図１０に示すように、最初にある程度の横方向のずれが存在し得る。図１１〜図１３に示すように、ダイ３０は、位置ずれした状態で下げられると、アライメント構造２６のポリイミド２４ｂのテーパ形状角部２４ｃと接触し、ポリイミドは衝撃を吸収し（図１１）、ポリイミドのテーパ形状角部２４Ｃの傾斜したプロファイルは、ダイを横方向に偏向させ（図１２）、ウェハに到達するにつれ、その適切なアライメントに向かって誘導する（図１３）。最終的な配置後、ウェハのＳｎ−Ｃｕ接点１８は、ダイ３０上の対応する接点３２と電気的に接触する。好ましくは特定の量の力が適用されて、ダイ３０をウェハに押し付け、ウェハのＳｎ−Ｃｕ接点１８が、ダイ３０の銅接点３２に（すなわち、図１４に示すように接点１８と３２との間にはんだ接合部３４を生成することによって）自動的にはんだ付けされるまで加熱される。冷却後、接合は完了し、はんだ接合部３４がウェハ接点１８及びダイ接点３２を一緒に接続させる。図１５に示すように、ダイ３０が定位置に接合された後に、ワイヤ３６をアルミニウム接点２２に接続することができる。
【００１６】
ダイを定位置に誘導するためのポリイミドの使用（適切な機械的アライメントを伴う）は、多くの利点を有する。これにより、より小さいデバイス形状であっても、適切に形成された電気的接続でダイをウェハに確実に接合することが可能になる。ポリイミドは、リングなどの丈長で非脆性のアライメント構造において感光性光現像が可能である。感光性ポリイミドは、離れたところへ現像され、余分なエッチングなしに使用され得る。ポリイミドは、Ｓｎ−Ｃｕ接点を露出させるように保護層をエッチングするためのマスク層として更に機能する。アライメント構造２６は、無機ベース（すなわち、保護層２０）と、有機上部（すなわち、ダイと接触し、最初の接触の衝撃の一部を吸収し、アライメント補正横力を提供するための弾性材料としてのポリイミド頂部２４ｂ）との両方を含む。ポリイミド２４ｂのテーパ形状側壁２４ｃは、いずれかの構造への損傷を最小限に抑えながら、ダイ３０を効果的に誘導する。ビア対ビア接続のアライメント許容差は、開口部及びアライメントリングの限界寸法限界値の変動よりも大きい。場合によっては、リング及びエッジビアにはいくらかの損傷があってもよく、これは、ポリイミド２４ｂが、好ましくは接合後にその全体が除去されるという意味で、犠牲的であることが好ましいためである。更に、いくつかの用途では、ポリイミドリングに隣接する電気接点のうちの１つ以上がダミー接点であり、電気信号に実際には使用されない（すなわち、電気的接続がない）ことが望ましい場合がある。
【００１７】
自動はんだ付けのためのＳｎ−Ｃｕ合金接点の使用は、同様に多くの利点を有する。これは、高密度接合（例えば、ダイ１つ当たり数千の接合部）のための電気的接続形成を確実に提供し、ポリイミドアライメント構造に適合する。Ｓｎ−Ｃｕ接点は、熱（及び任意選択的にいくらかの圧縮力）を加えるだけで、ダイの対応する銅接点へのはんだ接続を形成する。Ｓｎ−Ｃｕ材料は、ウェハ又はダイを損傷し得るより高い温度を必要とせずに、ウェハとダイとの間の自己はんだ付けを可能にするのに十分低い融点を有する。Ｓｎ対Ｃｕの相対的割合は、変化し得る。割合としてＳｎが大きすぎると、ＣＭＰが困難になり、割合としてＣｕが大きすぎると、エッチングが困難になる。全体組成範囲の割合として０．５〜５％のＣｕ及び９５〜９９．５％のＳｎは、十分に低い十分な温度で、ＣＭＰ処理とエッチング処理と有効な自己はんだ形成との間の全体組成の割合の理想的なバランスをとっていると判定された。均質に堆積されたＳｎ−Ｃｕ合金材料を使用して接点１８を形成することが好ましいが、Ｓｎ及びＣｕの別個の層を交互に繰り返し堆積させることにより、接点１８を形成することも可能である。その後、ＳｎがＣｕと合金化されるように焼きなましを行う。
【００１８】
本発明は、本明細書に図示した上記実施形態に限定されるものではなく、任意の特許請求の範囲にあるあらゆる全ての変形例も包含することが理解されよう。例えば、本明細書における本発明への言及は、いかなる特許請求の範囲又は特許請求の範囲の用語も限定することを意図するものではなく、代わりに特許請求の範囲の１つ以上によって網羅され得る１つ以上の特徴に言及するにすぎない。上述の材料、プロセス、及び数値例は、単なる例示であり、請求項を限定するものと見なされるべきではない。更に、ポリイミドアライメント構造は、ダイが配置される場所の周りの連続リングであってもよいが、リング形状である必要はなく（例えば、ダイの形状と一致する又は適合する四角や他の形状であってもよい）、また、連続的である必要はない（例えば、部分的なリング形状を有する、接点の両側にポリイミドの複数のブロックを有する、など、ポリイミドアライメント構造の１つ以上の個別のブロックであってもよい）。Ｓｎ−Ｃｕを使用する自己はんだ付けソリューションは、ポリイミドアライメント構造を実装せずに実装することができ、その逆もまた同様であるが、それらを合わせることは、ダイ／ウェハ接合の従来技術よりも有意な利点をもたらす。ダイをウェハまで下げることは、ダイ底面をウェハ上面に向かって垂直に移動させることを含む。しかしながら、これらの表面を接触させることは、２つの表面を互いに向かって垂直に移動させることによって広く達成することができ、これは、ダイを静止したウェハに向かって移動させること、ウェハを静止したダイに向かって移動させること、又はダイとウェハの両方を互いに向かって同時に移動させることによって達成することができる。最後に、基礎をなす保護層２２なしにポリイミドアライメント構造を実装することもできる。
【００１９】
本明細書で使用される、用語「〜上に（over）」及び「〜の上に（on）」は共に、「直接的に〜の上に」（中間材料、要素、又は間隙がそれらの間に配設されていない）及び「間接的に〜の上に」（中間材料、要素、又は間隙がそれらの間に配設されている）を包括的に含むことに留意されるべきである。同様に、「隣接した」という用語は、「直接隣接した」（中間材料、要素、又は間隙がそれらの間に配設されていない）、及び「間接的に隣接した」（中間材料、要素、又は間隙がそれらの間に配設されている）を含み、「取り付けられた」は、「直接取り付けられた」（中間材料、要素、又は間隙がそれらの間に配設されていない）、及び「間接的に取り付けられた」（中間材料、要素、又は間隙がそれらの間に配設されている）を含み、「電気的に結合された」は、「直接電気的に結合された」（中間材料又は要素がそれらの間で要素を電気的に連結していない）、及び「間接的に電気的に結合された」（中間材料又は要素がそれらの間で要素を電気的に連結している）を含む。例えば、「基板上に」要素を形成することは、中間材料／要素が介在せずに直接的に基板の上にその要素を形成することも、１つ以上の中間材料／要素が介在して間接的に基板の上にその要素を形成することも含む可能性がある。
【図１】
2020512697.tif 000003
【図２】
2020512697.tif 000004
【図３】
2020512697.tif 000005
【図４】
2020512697.tif 000006
【図５】
2020512697.tif 000007
【図６】
2020512697.tif 000008
【図７】
2020512697.tif 000009
【図８】
2020512697.tif 000010
【図９】
2020512697.tif 000011
【図１０】
2020512697.tif 000012
【図１１】
2020512697.tif 000013
【図１２】
2020512697.tif 000014
【図１３】
2020512697.tif 000015
【図１４】
2020512697.tif 000016
【図１５】
2020512697.tif 000017
【国際調査報告】
2020512697.tif 000018